【手続補正書】
【提出日】平成17年8月25日(2005.8.25)
【手続補正１】
【補正対象書類名】明細書
【補正対象項目名】特許請求の範囲
【補正方法】変更
【補正の内容】
【特許請求の範囲】
【請求項１】  ヘルニアの修復用の人工補装具において、
前記人工補装具は、
埋め込むことができる可撓性のあるメッシュと、
前記メッシュの実質的部分の周囲に連続して延びている少なくとも一つのリングとを備え、
前記リングは、前記メッシュをヘルニア上に重なるように構成され且つ配置される広がった形態に押圧することができ、
前記リングは、間隔が隔てられて中断部分を形成する、向かい合っている端部を含み、
前記リングは、初期形状から変形しても該初期形状に戻ることができ、これにより、前記メッシュを前記広がった形態に戻すことができる弾性を有する、ことを特徴とする人工補装具。  
【請求項２】  請求項１に記載の人工補装具において、
前記メッシュは、周縁を有し、
前記リングは、前記周縁に沿って延びている、ことを特徴とする人工補装具。
【請求項３】  請求項１又は２に記載の人工補装具において、
前記メッシュは、非再吸収性である、ことを特徴とする人工補装具。
【請求項４】  請求項1乃至３のうちのいずれか1項に記載の人工補装具において、
前記リングは、再吸収性である、ことを特徴とする人工補装具。
【請求項５】  請求項1乃至４のうちのいずれか1項に記載の人工補装具において、
前記中断部分は、大腿部の血管に位置決めされるようになっている、ことを特徴とする人工補装具。
【請求項６】  請求項1乃至５のうちのいずれか1項に記載の人工補装具において、
前記メッシュ及び前記リングは、前記メッシュが凸状形状をとることができるように、前記メッシュが前記リングの内側で緩みの量を保持するように形成されている、ことを特徴とする人工補装具。
【請求項７】  請求項1乃至６のうちのいずれか1項に記載の人工補装具において、
前記人工補装具は、更に、第1及び第２端部を有する少なくとも一つのデバイダーを備え、
前記デバイダーは、前記第1及び第２端部が前記リングに取り付けられた状態で、前記メッシュ上に直径方向に沿って配置されている、ことを特徴とする人工補装具。
【請求項８】  請求項７に記載の人工補装具において、
前記デバイダーは、前記メッシュを凸状形状に維持するように、湾曲した形状を有する、ことを特徴とする人工補装具。
【請求項９】  請求項７又は８に記載の人工補装具において、   
前記少なくとも一つのデバイダーは、第1及び第２デバイダーを備え、
前記第1及び第２デバイダーの各々は、第１及び第２端部を有し、
前記第1及び第２デバイダーは、前記メッシュ上に直径方向に沿って配置され、互いに対して交差して配置されており、
前記第1及び第２デバイダーの前記第１及び第２端部は、前記リングに取り付けられている、ことを特徴とする人工補装具。
【請求項１０】  請求項９に記載の人工補装具において、
前記第1及び第２デバイダーは、実質的に互いに垂直に配置されている、ことを特徴とする人工補装具。
【請求項１１】  請求項1乃至１０のうちのいずれか1項に記載の人工補装具において、
前記リングは、前記中断部分に隣接する前記向かい合っている端部の少なくとも一方に近接した、少なくとも一つの低抵抗領域を含む、ことを特徴とする人工補装具。
【請求項１２】  請求項１１に記載の人工補装具において、
前記低抵抗領域は、前記リングを壊して前記中断部分を広げることができる、ことを特徴とする人工補装具。
【請求項１３】  請求項1乃至１２のうちのいずれか1項に記載の人工補装具において、
前記メッシュは、前記中断部分に隣接する前記リングの前記向かい合っている端部の少なくとも一つに近接したスリットを有し、これによって、タングを形成する、ことを特徴とする人工補装具。
【請求項１４】  請求項１３に記載の人工補装具において、
前記タングは、実質的に張力が加わってない、ことを特徴とする人工補装具。
【請求項１５】  請求項1乃至５のうちのいずれか1項に記載の人工補装具において、
前記少なくとも一つのリングは、第1及び第２リングを含み、該第２リングは前記第1リングと同心で、且つ内側に間隔を置いて配置されている、ことを特徴とする人工補装具。
【請求項１６】  請求項１５に記載の人工補装具において、
前記メッシュは、前記第２リングの内側に材料が設けられていない、ことを特徴とする人工補装具。
【請求項１７】  請求項１５又は１６に記載の人工補装具において、
前記人工補装具は、更に、前記第１及び第２リングを相互連結している少なくとも一つのスポークを備える、ことを特徴とする人工補装具。
【請求項１８】  請求項1５乃至１７のうちのいずれか1項に記載の人工補装具において、
前記中断部分は、前記第１リングの第1中断部分と、該第１中断部分と整合している、前記第２リングの第２中断部分とにより形成される、ことを特徴とする人工補装具。
【請求項１９】  請求項１７に従属する請求項１８に記載の人工補装具において、
前記少なくとも一つのスポークは、第1及び第２スポークを備え、
該第1及び第２スポークは、前記第１中断部分に隣接する前記第１リングの向かい合った端部と、前記第２中断部分に隣接する同心の前記第２リングの向かい合った端部とを連結する、ことを特徴とする人工補装具。
【請求項２０】  請求項１９に記載の人工補装具において、
前記メッシュは、前記第１及び第２スポークの間に材料が設けられていない、ことを特徴とする人工補装具。
【請求項２１】  請求項１９に記載の人工補装具において、
前記メッシュは、前記第１及び第２スポークの間に材料でできたタングを含む、ことを特徴とする人工補装具。
【請求項２２】  請求項1５乃至２１のうちのいずれか1項に記載の人工補装具において、
前記人工補装具は、更に、前記第１リングに近接した前記メッシュに通したコードを備える、ことを特徴とする人工補装具。
【請求項２３】  請求項２２に記載の人工補装具において、
前記コードは、該コードの両端部に張力を加えることにより、前記人工補装具を、横方向空間を有する截頭円錐形に形成できる、ことを特徴とする人工補装具。
【請求項２４】  請求項２３に記載の人工補装具において、
前記コードは、前記メッシュから除去可能であり、これにより、前記メッシュを初期状態に戻すことができる、ことを特徴とする人工補装具。
【請求項２５】  ヘルニアの外科治療用の人工補装具において、
前記人工補装具は、
非再吸収性合成メッシュと、
少なくとも１つのリングとを備え、
該リングは、前記メッシュの周囲で継続的に延びており、該メッシュを実質的に取り囲み、これにより、該メッシュをヘルニア上に配置するように構成され且つ配置される、広がった形態に押圧することができ、
前記リングは、大腿部の血管と向かい合って位置決めされるようになっている中断部分を有し、
前記リングは、再吸収性材料でできており、初期形状から変形しても該初期形状に戻して、前記メッシュを前記広がった形態に戻すことができる可撓性を有する、ことを特徴とする人工補装具。
【請求項２６】  請求項２５に記載の人工補装具において、
前記メッシュ及び前記リングは、前記メッシュが凸状形状をとることができるように、前記リングの内側で或る程度の緩みを保持するように形成されている、ことを特徴とする人工補装具。
【請求項２７】  請求項２５又は２６に記載の人工補装具において、
前記人工補装具は、更に、二つの端部を有する少なくとも一つのデバイダーを備え、
前記デバイダーは、前記端部が前記リングに取り付けられた状態で、直径方向に沿って配置されており、
前記デバイダーは、前記リングと同じ材料でできており、前記メッシュを凸状形状に維持するように、湾曲した形状を有する、ことを特徴とする人工補装具。
【請求項２８】  請求項２５乃至２７のうちのいずれか1項に記載の人工補装具において、
前記リングの各々の端部は、前記中断部分のいずれか一方の側又は両側で、その最端近くに、前記中断部分を広げることができる低抵抗領域を有する、ことを特徴とする人工補装具。
【請求項２９】  請求項２５乃至２８のうちのいずれか1項に記載の人工補装具において、
前記メッシュは、前記中断部分のいずれか一方の側又は両側で、前記リングの端部の各最端部に半径方向スロットを有し、
該スロットは、大腿部の血管に適合できるタングを形成する、ことを特徴とする人工補装具。
【請求項３０】  請求項２５乃至２９のうちのいずれか1項に記載の人工補装具において、
前記リング及び前記デバイダーは、円形断面又は平坦な断面の細いストリップで構成されている、ことを特徴とする人工補装具。
【請求項３１】  請求項２５乃至３０のうちのいずれか1項に記載の人工補装具において、
前記リング及び前記デバイダーは、ポリグリコール酸型の再吸収性材料でできている、ことを特徴とする人工補装具。
【請求項３２】  請求項２５に記載の人工補装具において、
前記人工補装具は、円形であり、
前記少なくとも一つのリングは、外側リングと、該外側リングと同心の内側リングとを含み、
前記内側リングは、前記外側リングに複数のスポークによって連結されており、
前記内側リングは、前記外側リングの中断部分と向かい合う中断部分を有し、
前記外側リングの端縁部は、前記内側リングの端縁部に二つのスポークによって連結されており、
前記二つのスポークの間と、前記内側リングの内側には、メッシュが設けられておらず、
前記人工補装具は、更に、前記外側リングの近くで周囲に通されたコードを備え、
前記コードは、該コードの二つの端部を引っ張ることにより、前記人工補装具を、横方向空間を有する截頭円錐形に形成できる、ことを特徴とする人工補装具。
【請求項３３】  請求項２５に記載の人工補装具において、
前記人工補装具は、円形であり、
前記少なくとも一つのリングは、外側リングと、該外側リングと同心の内側リングとを含み、
前記内側リングは、前記外側リングに複数のスポークによって連結されており、
前記内側リングは、前記外側リングの中断部分と向かい合う中断部分を有し、
前記外側リングの端縁部は、前記内側リングの端縁部に二つのスポークによって連結されており、
前記スポークの少なくとも一つは、前記二つのスポークにより画定された空間の内部に延びるメッシュタングを備え、
前記人工補装具は、更に、前記外側リングの近くで周囲に通されたコードを備え、
前記コードは、該コードの二つの端部を引っ張ることにより、前記人工補装具を、横方向空間を有する截頭円錐形に形成できる、ことを特徴とする人工補装具。